(57)【要約】【課題】既製の冊子に簡単に装着することができ、消費者の冊子購入の意欲を高めることができる物品添付用ホルダを提供する。【解決手段】挟み込む冊子４と略同一の大きさに形成された正面板１０及び背面板１２と、所定の幅を有する折り返し板１１とが正面板１０、折り返し板１１、背面板１２の順で連接された帯封部３と、折り返し板１１に連接された背面板１２の反対側の端部に連接され、挟み込む冊子の内容に応じた物品を収納する収納部２と、を有し、帯封部３は、冊子の所定数のページを正面板１０と折り返し板１１と背面板１２とで挟み込み、折り返し板に連接された正面板１０の反対側の端部に設けた係止片１８、１９を、収納部３に設けた係止受け口５、６に挿入して係止させることにより、既製の冊子に簡単に装着することができる。【選択図】　　　　図１
2004042380.tif 000002
【特許請求の範囲】
【請求項１】
挟み込む冊子と略同一の大きさに形成された正面板及び背面板と、所定の幅を有する折り返し板とが正面板、折り返し板、背面板の順で連接された帯封部と、
前記折り返し板に連接された前記背面板の反対側の端部に連接され、前記挟み込む冊子の内容に応じた物品を収納する収納部と、を有し、
前記帯封部は、前記冊子の所定数のページを前記正面板と折り返し板と背面板とで挟み込み、前記折り返し板に連接された前記正面板の反対側の端部に設けた係止片を、前記収納部に設けた係止受け口に挿入して係止させることを特徴とする物品添付用ホルダ。
【請求項２】
前記折り返し板の縦幅が、前記挟み込む冊子の厚みの約半分に形成されていることを特徴とする請求項１記載の物品添付用ホルダ。
【請求項３】
前記収納部の厚みが、前記挟み込む冊子の厚みと略同等か、それ以下に形成されていることを特徴とする請求項１または２記載の物品添付用ホルダ。
【請求項４】
前記収納部は、該収納部内に前記物品を出し入れすることができ、前記物品を収納した状態で収納部を閉じることができる蓋部材を有することを特徴とする請求項１から３の何れか一項に記載の物品添付用ホルダ。
【請求項５】
前記物品添付用ホルダは、
一枚の紙から形成され、折り込み、貼着してなることを特徴とする請求項１から４の何れか一項に記載の物品添付用ホルダ。
【請求項６】
請求項１から５の何れか一項に記載の物品添付用ホルダを装着したことを特徴とするホルダ付き冊子。
【請求項７】
前記背面板を冊子裏表紙の内側に、前記正面板を前記冊子本文中に差し込み、前記係止片を前記収納部に設けた係止受け口に係止させることを特徴とする請求項６記載のホルダ付き冊子。
【発明の詳細な説明】
【０００１】
【発明の属する技術分野】
本発明は、既製の綴じ込み冊子（雑誌、書籍、カタログ、パンフレット等）に簡単に着脱することができる物品添付用ホルダ及びホルダ付き冊子に関する。
【０００２】
【従来の技術】
近年、雑誌や書籍などの出版業界では、試供品や付録などの付属品をセットにして提供する冊子が数多く出版されている。例えば、実開平４−７１２７７号公報に開示された折り込みを有する本の構造では、図１２に示されるように台紙となる用紙表面１０１に、物品を収納する収納部を設けたスペーサ１０２を貼着し、収納部に物品１０３を収納したものを本１００の構造内に綴じ込み、本文と一体に製本したことを特徴としている。
【０００３】
また、書店、売店等に並べられている雑誌や書籍は、立ち読みによって客にある程度の満足を与えてしまい、購入意欲を喪失させてしまうという不具合が生じる。このような不具合を防止するために、例えば特開２０００−１４１９４５号公報の本用容器では、本の一部のページ１１２を除く大半部のページを見開き不能に包み込む包込部１１０に、一部のページ１１２を見開き可能に突出させる突出口１１１を設けている。
【０００４】
【発明が解決しようとする課題】
しかしながら、実開平４−７１２７７号公報の折り込みを有する本の構造では、物品を収納した台紙を本の内側に挟み込むため、積み重ねると荷重でスペーサが潰れ、物品が破損、損傷する恐れがある。また、製本工程において、物品を収納した台紙を本の内側に挟み込む工程を設ける必要があるため、既存の設備に大幅な変更が必要となる。
【０００５】
また、特開２０００−１４１９４５号公報の本用容器は、実質ブックカバーであるので材料費が高騰すると共に、本への装着が面倒であるという不具合が生じる。また、この本用容器も上記実開平４−７１２７７号公報同様、積み重ねに対する配慮がなされていない。
【０００６】
本発明は上記事情に鑑みてなされたものであり、既製の冊子に簡単に装着することができ、消費者の冊子購入の意欲を高めることができる物品添付用ホルダ及びホルダ付き冊子を提供することを目的とする。
【０００７】
【課題を解決するための手段】
かかる目的を達成するために請求項１記載の発明は、挟み込む冊子と略同一の大きさに形成された正面板及び背面板と、所定の幅を有する折り返し板とが正面板、折り返し板、背面板の順で連接された帯封部と、折り返し板に連接された背面板の反対側の端部に連接され、挟み込む冊子の内容に応じた物品を収納する収納部と、を有し、帯封部は、冊子の所定数のページを正面板と折り返し板と背面板とで挟み込み、折り返し板に連接された正面板の反対側の端部に設けた係止片を、収納部に設けた係止受け口に挿入して係止させることを特徴とする。
【０００８】
請求項２記載の発明は、請求項１記載の発明において、折り返し板の縦幅が、挟み込む冊子の厚みの約半分に形成されていることを特徴とする。
【０００９】
請求項３記載の発明は、請求項１または２記載の発明において、収納部の厚みが、挟み込む冊子の厚みと略同等か、それ以下に形成されていることを特徴とする。
【００１０】
請求項４記載の発明は、請求項１から３の何れか一項に記載の発明において、収納部は、該収納部内に物品を出し入れすることができ、物品を収納した状態で収納部を閉じることができる蓋部材を有することを特徴とする。
【００１１】
請求項５記載の発明は、請求項１から４の何れか一項に記載の発明において、物品添付用ホルダは、一枚の紙から形成され、折り込み、貼着してなることを特徴とする。
【００１２】
請求項６記載の発明は、請求項１から５の何れか一項に記載の物品添付用ホルダを装着したことを特徴とする。
【００１３】
請求項７記載の発明は、請求項６記載の発明において、背面板を冊子裏表紙の内側に、正面板を冊子本文中に差し込み、係止片を収納部に設けた係止受け口に係止させることを特徴とする。
【００１４】
【発明の実施の形態】
次に添付図面を参照しながら本発明の物品添付用ホルダ及びホルダ付き冊子に係る実施の形態を詳細に説明する。図１〜図１１を参照すると本発明の物品添付用ホルダ及びホルダ付き冊子に係る実施の形態が示されている。
【００１５】
まず、図１を参照しながら本実施形態の構成を説明する。図１に示されるように本実施形態の物品添付用ホルダ（以下、単にホルダという）１、物品を収納する収納部２と、冊子に帯封をする帯封部３とを具備する。
【００１６】
収納部２は、ホルダ１を装着させる冊子の内容に応じた付録、サンプル等の物品を収納する。収納部２には、後述する係止片１８、１９を係止させる係止受け口５、６が設けられている。物品を収納する収納口は、図２に示されるように収納部２の長手方向の端部に設けられている。物品の収納部２への収納方法については特に限定しないが、所定の厚みのスペーサを設けて、スペーサ内にサンプル等を収納するものであってもよい。なお、収納部２の厚さは、ホルダ１を取り付けた冊子を積み重ねた際に、収納部２内に収納した物品が押しつぶされないように、図３に示す挟み込む冊子の厚さと同等か、それよりも薄厚に形成しておくとよい。また、収納部２の大きさは、収納する物品の大きさに応じて適宜変更可能であるが、収納部２の長手方向の長さは、図３に示すようにホルダ１を挟み込む冊子の短手方向の長さと同等か、それ以下であることが望ましい。
【００１７】
帯封部３は、図４に示されるように背面板１２と、折り返し板１１と、正面板１０とが連接された構成を取る。ホルダ１を冊子に取り付ける際には、背面板１２を冊子裏表紙の内側に差し込み、折り返し板１１で折り曲げて正面板１０を冊子本文の途中に差し込む。折り返し板１に連接された正面板１０の長手方向のもう一方の端部には、係止片１８、１９が設けられている。この係止片１８、１９を収納部２に形成された係止受け口５、６に挿入することで、冊子にホルダを固定する。また、折り返し板１１の縦幅は、ホルダ１を取り付ける冊子の厚みとほぼ同等かそれ以下、好ましくは半分程度の厚みを有するとよい。
【００１８】
ホルダ１は、収納部２及び帯封部３、特に収納部２に広告、または冊子の内容を表す広告、収納部２に収納した物品について紹介する文章等を印刷することができる。このような広告をホルダ１に印刷することで消費者の購入意欲を高めることができる。
【００１９】
なお、ホルダ１を装着する冊子は、好ましくは雑誌、書籍、カタログ、パンフレットなどの中綴じ製本で作製された本であることが好ましい。しかしこれに限定されるものではなく、無線綴じ、平綴じ等の他の製本方法で作製された冊子であってもよい。
【００２０】
次に、図５を参照しながらホルダ１の組立手順について説明する。図５には、ホルダ１の展開図が示されている。図５に示されるように、ホルダ１は一枚の紙から形成され、この紙を以下に示す手順で折り込み、貼着することで形成される。
まず、図５を参照しながらホルダ１の展開時の構成について説明する。図５に示されるように帯封部３を構成する正面板１０には、折り目３０を介して折り返し板１１が連接されている。正面板１０が連接された折り返し板１１の反対側の端部には、折り目１１を介して背面板１２が連接されている。折り返し板１１が連接された背面板１２の反対側の端部には、収納部下片１３が連接されている。背面板１２が連接された収納部下片１３の反対側の端部には、折り目３２を介して側片１４が連接されている。収納部下片１３が連接された側片１４の反対側の端部には、折り目３３を介して収納部上片１５が連接されている。側片１４が連接された収納部上片１５の反対側の端部には、折り目３４を介して側片１６が連接されている。収納部上片１５が連接された側片１６の反対側の端部には、折り目３５を介して貼着片１７が連接されている。
【００２１】
また、折り返し板１１が連接された正面板１０の反対側の端部には、係止片１８、１９が連接されている。係止片１８、１９は折り目３０、３１で折り返した際に、収納部２側に設けた係止受け口５、６とそれぞれ重なり合う位置に設けられている。収納部下片１３と収納部上片１５とに連接された側片１４の長手方向の端部には、折り込み片２０、２１が連接されている。収納部上片１５と粘着片１７とに連接された側片１６の長手方向の端部には、折り込み片２６、２７が連接されている。また、側片１４と側片１６とに連接された収納部上片１５の長手方向の端部には、側片２２、２３が連接されている。さらに、側片２２には、折り目３９を介して差し込み片２４が連接されている。また、側片２３には、折り目４３を介して差し込み片２５が連接されている。
【００２２】
また、側片２２と差し込み片２４との連接部には、切り込み４４、４５が入れられている。同様に側片２３と差し込み片２５との連接部には、切り込み４６、４７が入れられている。
【００２３】
また、側片１６には切欠５４が入れられ、収納部上片１５に設けられた切り込み５０、５１と共に係止受け口６が形成される。同様に、切欠５５が入れられ、収納部上片１５に設けられた切り込み５２、５３と共に係止受け口５が形成される。
【００２４】
次に、このように構成したホルダ１の組立手順を説明する。
まず、折り目３２、３３、３４を内側に折り曲げると共に、折り目３５を外側に折り曲げ、図５に示された点線６０と折り目３５とが重なり合う位置で粘着片１７を背面板１２に貼り合わせる。
【００２５】
次に、折り目３６、３８、４０、４２を内側に折り曲げ、折り込み片２０、２１、２６、２７を内側に折り込む。次に、折り目３７、３９、４１、４３を内側に折り曲げ、差し込み片２４、２５を収納部２内に差し込む。このような手順で収納部が形成される。
【００２６】
次に、折り目３０、３１を内側に折り曲げることで正面板１０と背面板１２を重ね合わせ、係止片１８、１９をそれぞれ係止受け口５、６に挿入することで図１に示されたホルダ１が完成する。
【００２７】
次に、図６〜図１０を参照しながら上記構成からなるホルダ１を、冊子に取り付ける手順について説明する。
まず、挿入された係止片１８、１９を係止受け口５、６から取り外し、帯封部３を図６に示されるように開いた状態にする。
【００２８】
次に、図７に示されるように冊子の裏表紙を開き、裏表紙上にホルダ１を載せる。
【００２９】
次に、冊子のほぼ中間ページを開き、図８に示されるようにホルダ１の背面板１２上に載せる。
【００３０】
次に、図９に示されるように、ホルダ１の正面板１０を折り返し、収納部２に設けた係止受け口５、６に係止片１８、１９を挿入し、ホルダ１を冊子に固定する。
【００３１】
このように本実施形態のホルダ１は、冊子等に容易に装着することができるので、冊子に付録やサンプルを容易に添付させることができる。
【００３２】
また、図９に示されるように、冊子の帯封部３で封をしたページは、開くことができないが、封をしていない前半のページは立ち読みすることができる。従って、購買の動機付けができ、全ページの立ち読みはできないので発売部数を減らすこともない。
【００３３】
また、図１０に示されるように収納部２の厚みを、冊子４の厚みと同等かそれ以下となるように作製することで、図１１に示されるように、ホルダ１を取り付けた冊子４を積み重ねた際に、収納部２に収納した物品が押しつぶされてしまうことがない。
【００３４】
また、ホルダ１自体に各種の広告や宣伝を施すことができるため、冊子の販売促進ツールとして利用することができる。また、ホルダ１を紙製にすることでリサイクルや焼却処分が可能で、環境への負担を軽減させることができる。さらにまた、図７のように冊子の裏表紙を開き、ホルダ１を載せて冊子に装着することで裏表紙の表となる側がホルダ１で隠れることがない。従って、ホルダ１を冊子に装着しても、冊子裏表紙の広告等の印刷を消費者は見ることができる。
【００３５】
なお、上述した実施形態は本発明の好適な実施の形態である。但し、これに限定されるものではなく、本発明の要旨を逸脱しない範囲内において種々変形実施可能である。
【００３６】
【発明の効果】
以上の説明より明らかなように本発明は、冊子の所定数のページを正面板と折り返し板と背面板とで挟み込み、折り返し板に連接された正面板の反対側の端部に設けた係止片を、収納部に設けた係止受け口に挿入して該係止片を係止させることにより、冊子等に容易に装着することができ、冊子に付録やサンプルを容易に添付させることができる。
【００３７】
また、冊子の帯封部で封をしたページは、開くことができないが、封をしていない前半のページは立ち読みすることができる。従って、購買の動機付けができ、全ページの立ち読みはできないので発売部数を減らすこともない。
【００３８】
また、収納部の厚みを、冊子の厚みと同等かそれ以下となるように作製することで、物品添付用ホルダを取り付けた冊子を積み重ねた際に、収納部に収納した物品が押しつぶされることがない。
【００３９】
また、物品添付用ホルダ自体に各種の広告や宣伝を施すことができるため、冊子の販売促進ツールとして利用することができる。また、物品添付用ホルダを紙製にすることでリサイクルや焼却処分が可能で、環境への負担を軽減させることができる。
【図面の簡単な説明】
【図１】本発明に係る実施形態の構成を示す外観斜視図である。
【図２】物品の収納口を示す図である。
【図３】ホルダを冊子に取り付けた状態を示す図である。
【図４】係止を解き、帯封部を開いた状態を示す図である。
【図５】ホルダの構成を示す展開図である。
【図６】ホルダの冊子への取り付け手順を示す図である。
【図７】ホルダの冊子への取り付け手順を示す図である。
【図８】ホルダの冊子への取り付け手順を示す図である。
【図９】ホルダの冊子への取り付け手順を示す図である。
【図１０】ホルダの冊子への取り付け手順を示す図である。
【図１１】ホルダを取り付けた冊子を積み重ねた状態を示す図である。
【図１２】従来技術の構成を示す図である。
【図１３】従来技術の構成を示す図である。
【符号の説明】
１　ホルダ
２　収納部
３　帯封部
４　冊子
５、６　係止受け口
１０　正面板
１１　折り返し板
１２　背面板
１３　収納部下片
１４　側片
１５　収納部上片
１６　側片
１７　粘着片
２０、２１、２６、２７　折り込み片
２２、２３　側片
２４、２５　差し込み片
【図１】
2004042380.tif 000003
【図２】
2004042380.tif 000004
【図３】
2004042380.tif 000005
【図４】
2004042380.tif 000006
【図５】
2004042380.tif 000007
【図６】
2004042380.tif 000008
【図７】
2004042380.tif 000009
【図８】
2004042380.tif 000010
【図９】
2004042380.tif 000011
【図１０】
2004042380.tif 000012
【図１１】
2004042380.tif 000013
【図１２】
2004042380.tif 000014
【図１３】
2004042380.tif 000015